(57)【要約】      （修正有）【課題】机天板等への取り付けが容易な上方締め付け型クランプであっても、電気的手段を見苦しくならないように保持することができる電気機器を提供する。【解決手段】電気機器本体２と、この電気機器本体２を机の天板Ｄに対し着脱可能に取り付けるためのクランプ３とを有し、このクランプ３が、略コ字状の取付金具と、この取付金具の上方横片７Ａに軸支された締付具８と、取付金具の下方横片７Ｂに取り付けられた当接具９とを有して構成される。当接具９に保持具４を設けると共に、電気機器本体２を作動させるための電気的手段としてのＡＣアダプタ５を、保持具４に対し着脱可能に保持させたことで、保持具４によってＡＣアダプタ５を天板Ｄの下方に着脱可能に保持することができる。【選択図】図１
0003168237.tif 000002
【実用新案登録請求の範囲】
【請求項１】
電気機器本体と、この電気機器本体を机や棚等に対し着脱可能に取り付けるためのクランプとを有し、このクランプが、略コ字状の取付金具と、この取付金具の上方横片に軸支された締付具と、前記取付金具の下方横片に取り付けられた当接具とを有して構成される電気機器において、
前記当接具に保持具を設けると共に、前記電気機器本体を作動させるための電気的要素を筐体内部に収容した電気的手段を、前記保持具に対し着脱可能に保持させたことを特徴とする電気機器。
【請求項２】
前記保持具を、前記当接具に対し着脱可能に取り付けたことを特徴とする請求項１記載の電気機器。
【請求項３】
前記保持具を、前記当接具に対し水平方向に着脱可能としたことを特徴とする請求項２記載の電気機器。
【請求項４】
前記保持具を、前記当接具に対し複数の方向から着脱可能としたことを特徴とする請求項３記載の電気機器。
【請求項５】
前記保持具と前記当接具とを一体的に構成したことを特徴とする請求項１記載の電気機器。
【請求項６】
電気機器本体と、この電気機器本体を机や棚等に対し着脱可能に取り付けるためのクランプとを有し、このクランプが、略コ字状の取付金具と、この取付金具の上方横片に軸支された締付具とを有して構成される電気機器において、
前記取付金具の下方横片に対し着脱可能な保持具を設けると共に、前記電気機器本体を作動させるための電気的要素を筐体内部に収容した電気的手段を、前記保持具に対し着脱可能に保持させたことを特徴とする電気機器。
【請求項７】
前記保持具の上端部に磁石を設けると共に、前記取付金具の少なくとも下方横片を強磁性を有する鋼で構成したことを特徴とする請求項６記載の電気機器。
【請求項８】
前記取付金具の下方横片に当接具を取り付け、この当接具の下端部に位置決め部を設けると共に、この位置決め部に対応する受部を前記保持具に設けたことを特徴とする請求項７記載の電気機器。
【請求項９】
電気機器本体と、この電気機器本体を机や棚等に対し着脱可能に取り付けるためのクランプとを有し、このクランプが、略コ字状の取付金具と、この取付金具の上方横片に軸支された締付具とを有して構成される電気機器において、
前記電気機器本体を作動させるための電気的要素を筐体内部に収容した電気的手段を、前記クランプの下方横片に保持させたことを特徴とする電気機器。
【考案の詳細な説明】
【技術分野】
【０００１】
本考案は、机や棚等に固定して使用される電気スタンド等の電気機器に関するものである。
【背景技術】
【０００２】
従来、この種の電気機器としては、電気機器本体と、この電気機器本体を机や棚等に着脱自在に固定するためのクランプとを有し、このクランプが、略コ字状の主金具と、この主金具の下方横片に形成された螺子孔に取り付けられた螺子体と、この螺子体に螺合或いは枢支されて取り付けられた取付体とを有し、前記電気機器本体を作動させるための電気回路又は／及び電子回路を内部に収容した回路筐体を前記取付体に取り付けたものが知られている（例えば、特許文献１参照。）。このような構造は、クランプ取付型のＬＥＤ照明装置への適用において有効と考えられる。即ち、ＬＥＤ照明装置の光源であるＬＥＤが従来の光源に比して小型であることから、ＬＥＤ照明装置は、全体として小型化されることが望まれている。そして、ＬＥＤは、直流電流によって点灯される。このため、ＬＥＤ照明装置は、電源をＡＣアダプタとして装置本体から独立させ、装置本体を小型化することが可能となる。この際、ＡＣアダプタをクランプに保持させれば、ＡＣアダプタが邪魔になることはない。
【先行技術文献】
【特許文献】
【０００３】
【特許文献１】特許第４３７９７１８号公報
【考案の概要】
【考案が解決しようとする課題】
【０００４】
しかしながら、このような電気機器は、机天板等への取り付けが容易な、上方から締め付ける形式のクランプ（例えば、実公平７−４４１１５号等）に適用した場合、ＡＣアダプタ等の電気的手段が机天板等よりも上に表れてしまい、外観上見苦しいという問題が生ずる。
【０００５】
本考案は以上の問題点を解決し、机天板等への取り付けが容易な上方締め付け型クランプであっても、電気的手段を見苦しくならないように保持することができる電気機器を提供することを目的とする。
【課題を解決するための手段】
【０００６】
本考案の請求項１に記載の電気機器は、電気機器本体と、この電気機器本体を机や棚等に対し着脱可能に取り付けるためのクランプとを有し、このクランプが、略コ字状の取付金具と、この取付金具の上方横片に軸支された締付具と、前記取付金具の下方横片に取り付けられた当接具とを有して構成される電気機器において、前記当接具に保持具を設けると共に、前記電気機器本体を作動させるための電気的要素を筐体内部に収容した電気的手段を、前記保持具に対し着脱可能に保持させたものである。
【０００７】
また、本考案の請求項２に記載の電気機器は、請求項１において、前記保持具を、前記当接具に対し着脱可能に取り付けたものである。
【０００８】
また、本考案の請求項３に記載の電気機器は、請求項２において、前記保持具を、前記当接具に対し水平方向に着脱可能としたものである。
【０００９】
また、本考案の請求項４に記載の電気機器は、請求項３において、前記保持具を、前記当接具に対し複数の方向から着脱可能としたものである。
【００１０】
また、本考案の請求項５に記載の電気機器は、請求項１において、前記保持具と前記当接具とを一体的に構成したものである。
【００１１】
また、本考案の請求項６に記載の電気機器は、電気機器本体と、この電気機器本体を机や棚等に対し着脱可能に取り付けるためのクランプとを有し、このクランプが、略コ字状の取付金具と、この取付金具の上方横片に軸支された締付具とを有して構成される電気機器において、前記取付金具の下方横片に対し着脱可能な保持具を設けると共に、前記電気機器本体を作動させるための電気的要素を筐体内部に収容した電気的手段を、前記保持具に対し着脱可能に保持させたものである。
【００１２】
また、本考案の請求項７に記載の電気機器は、請求項６において、前記保持具の上端部に磁石を設けると共に、強磁性を有する鋼で前記取付金具の少なくとも下方横片を構成したものである。
【００１３】
また、本考案の請求項８に記載の電気機器は、請求項７において、前記取付金具の下方横片に当接具を取り付け、この当接具の下端部に位置決め部を設けると共に、この位置決め部に対応する受部を前記保持具に設けたものである。
【００１４】
更に、本考案の請求項９に記載の電気機器は、電気機器本体と、この電気機器本体を机や棚等に対し着脱可能に取り付けるためのクランプとを有し、このクランプが、略コ字状の取付金具と、この取付金具の上方横片に軸支された締付具とを有して構成される電気機器において、前記電気機器本体を作動させるための電気的要素を筐体内部に収容した電気的手段を、前記クランプの下方横片に保持させたものである。
【考案の効果】
【００１５】
本考案の請求項１に記載の電気機器は、以上のように構成することにより、前記保持具によって前記電気的手段を机天板等の下方に着脱可能に保持することができるので、前記電気的手段を目立たせないようにすることができる。
【００１６】
なお、前記保持具を前記当接具に対し着脱可能とすることで、机天板等に前記クランプを取り付けた後で、前記当接具に前記保持具を取り付けることができるので、机天板等に対する前記クランプの着脱を容易に行うことができる。
【００１７】
また、前記保持具を前記当接具に対し水平方向に着脱可能とすることで、前記電気的手段が前記保持具ごと前記当接具から落下しにくいようにすることができる。
【００１８】
また、前記保持具を前記当接具に対し複数の方向から着脱可能とすることで、机天板等と壁等との位置関係や、机天板等への前記クランプの取付位置等といった様々な条件に対応して、前記保持具に保持された電気的手段を前記クランプの当接具に対し容易に着脱させることができる。
【００１９】
また、前記保持具と前記当接具とを一体的に構成することで、前記電気的手段を前記クランプに安定して保持させることができる。
【００２０】
また、本考案の請求項６に記載の電気機器は、以上のように構成することにより、前記保持具によって前記電気的手段を机天板等の下方に着脱可能に保持することができるので、前記電気的手段を目立たせないようにすることができる。
【００２１】
なお、前記保持具の上端部に磁石を設けると共に、強磁性を有する鋼で前記取付金具の少なくとも下方横片を構成することで、前記保持具によって、電気的手段を机天板等の下方に容易に保持させることができる。
【００２２】
また、前記取付金具の下方横片に当接具を取り付け、この当接具の下端部に位置決め部を設け、この位置決め部に対応する受部を前記保持具に設けることで、前記保持具を前記取付金具に対し確実に取り付けることができる。
【００２３】
更に、本考案の請求項６に記載の電気機器は、以上のように構成することにより、前記電気的手段を机天板等の下方に保持することができるので、前記電気的手段を目立たせないようにすることができる。
【図面の簡単な説明】
【００２４】
【図１】本考案の第一の実施形態を示す電気機器の側面図である。
【図２】同、要部の正面図である。
【図３】同、要部の側面図である。
【図４】同、要部のＡ−Ａ断面図である。
【図５】同、当接具への保持具の取り付けを示す説明図である。
【図６】本考案の第二の実施形態を示す電気機器の要部の正面図である。
【図７】同、要部の側面図である。
【図８】同、要部のＡ−Ａ断面図である。
【図９】本考案の第三の実施形態を示す電気機器の要部の正面図である。
【図１０】同、要部の側面図である。
【図１１】同、要部のＡ−Ａ断面図である。
【図１２】本考案の第四の実施形態を示す電気機器の要部の正面図である。
【図１３】同、要部の側面図である。
【図１４】同、要部のＡ−Ａ断面図である。
【図１５】本考案の第五の実施形態を示す電気機器の要部の正面図である。
【図１６】同、要部の側面図である。
【図１７】同、要部のＡ−Ａ断面図である。
【考案を実施するための形態】
【００２５】
以下、本考案の第一の実施形態について、図１乃至図５に基づいて説明する。なお、以下の説明において、図１，３，４，５の右側が前、左側が後である。また、図１乃至図５における上下は、実際の上下となる。
【００２６】
１は本発明の電気機器である。この電気機器１は、電気機器本体２と、この電気機器本体２を机の天板Ｄ等に固定するためのクランプ３と、保持具４と、電気的要素としての電源回路Ｐを筐体５Ａ内部に収容して構成された、電気的手段としてのＡＣアダプタ５と、このＡＣアダプタ５と前記電気機器本体２とを接続する電線６とを有して構成される。そして、前記電気機器本体２は、その下端部を後述する締付具８の操作部材１１の円筒部１４に挿入することで、前記クランプ３に対して取り付けられる。
【００２７】
前記クランプ３は、取付金具７と、締付具８と、当接具９とを有して構成される。前記取付金具７は、肉厚の鋼板を略コ字状に折り曲げて形成される。なお、この取付金具７の上方横片７Ａの長さは、下方横片７Ｂの長さよりも長く形成される。そして、前記取付金具７の上方横片７Ａには貫通孔１０が形成され、この貫通孔１０に前記締付具８が取り付けられる。この締付具８は、操作部材１１と、雄螺子体１２と、締付部材１３とを有して構成される。前記操作部材１１は、円筒部１４とノブ１５とで一体に構成される。そして、前記円筒部１４の内面には、複数の突条１６が形成され、これらの突条１６が、前記円筒部１４に挿入された前記電気機器本体２の下端部に当接する。なお、前記円筒部１４は、その外径が前記貫通孔１０の内径よりも小さく形成されると共に、前記貫通孔１０に挿入される。一方、前記ノブ１５は、その下端部の外径が、前記貫通孔１０の内径よりも大きく形成される。また、前記雄螺子体１２は、前記操作部材１１の円筒部１４に対し、その下部にビス１７によって同軸に固定される。なお、前記雄螺子体１２は、その上端部の外径が前記貫通孔１０の内径よりも大きくなるように形成される。また、前記ノブ１５の下端から前記雄螺子体１２の上端までの垂直方向距離は、前記取付金具７の上方横片７Ａの厚さよりも僅かに大きい。従って、前記操作部材１１と雄螺子体１２とで構成された操作手段１８は、前記取付金具７の上方横片７Ａの貫通孔１０に対し、抜け止めされた状態で回動可能に取り付けられる。なお、前記雄螺子体１２の雄螺子１２Ａは、前記雄螺子体１２の下部にのみ形成される。また、前記締付部材１３は、雌螺子部１９と、スライド部２０とを有して一体に形成される。前記雌螺子部１９は、前記雄螺子体１２の雄螺子１２Ａと螺合する。また、前記スライド部２０は、前記取付金具７の縦片７Ｃの左右端縁に案内されるように構成される。更に、前記締付部材１３の下端部には、ゴム等の当接部材２１が取り付けられる。また、前記当接具９は、前記取付金具７の下方横片７Ｂに取り付けられる。
【００２８】
前記当接具９について詳述する。この当接具９は、合成樹脂等、前記取付金具７に比べて軟らかい材質によって形成される。また、前記当接具９は、前記取付金具７の下方横片７Ｂの上面側に設けられる当接部２２と、前記取付金具７の下方横片７Ｂの下面側に設けられる支持部２３とを有して一体に構成される。前記当接部２２は、前記天板Ｄの下面に当接する。また、前記支持部２３には、その下端部の左右から外向きに突出するように、それぞれ前後方向に水平に延びる一対の突条部２４が形成される。
【００２９】
前記保持具４は、平板部２５と、この平板部２５の前後両端縁から下方に延びて形成された一対の長腕２６と、前記平板部２５の左右両端縁から下方に延びて形成された一対の短腕２７と、前記平板部２５の中央部を切り欠いて形成されると共に抜け止め用突部２８が先端部に形成された前後一対の係合腕２９と、前記平板部２５の中央部から上方に延びて形成された掛止部３０とで一体に形成される。一対の前記長腕２６は、弾性変形可能に形成される。また、前記各長腕２６の下端は、それぞれ内側に曲がっており、前記ＡＣアダプタ５を抱えるように保持可能に構成される。一方、一対の前記短腕２７は、前記ＡＣアダプタ５の左右方向への動きを規制するように、且つ前記ＡＣアダプタ５から延びる前記電線６を妨げないように、前記ＡＣアダプタ５自体の高さ寸法よりも短く形成される。また、前記係合腕２９は、前記保持具４を前記当接具９の支持部２３に取り付ける際に、弾性変形可能に構成される。更に、前記掛止部３０には、前記支持部２３の突条部２４に対応して、その上端部の左右から内向きに突出するように、それぞれ前後方向に水平に延びる一対の突条部３１が形成される。そして、これらの突条部３１が前記当接具９の支持部２３の突条部２４に掛けられると共に、前記各突部２８によって抜け止めされることによって、前記保持具４は前記当接具９に支持される。
【００３０】
次に、本実施形態の作用について説明する。まず、前記クランプ３を前記天板Ｄに取り付ける。この際、まず使用者は、前記ノブ１５を掴んで前記操作手段１８を回転させ、前記締付部材１３を上方に移動させておく。そして、前記締付部材１３と当接具９とで前記天板Ｄを挟むように、前記クランプ３を配置する。この際、前記当接具９が下方となるようにする。そして、前記ノブ１５を掴んで回転させ、前記締付部材１３を下降させる。これによって、前記天板Ｄが前記締付部材１３と当接具９とによって挟持されることで、前記クランプ３は前記天板Ｄに固定される。
【００３１】
次に、このように前記天板Ｄに固定された前記クランプ３の当接具９の支持部２３に、前記保持具４を取り付ける。なお、この保持具４は、図５に示すように、前方又は後方の何れの方向からでも、前記当接具９の支持部２３に取り付けることができる。前記保持具４を前記支持部２３に対して前方から取り付ける場合、まず使用者は、前記保持具４の内向き突条部３１の後端を、前記支持部２３の外向き突条部２４の前端に掛け、水平に後方に移動させる。この際、後側の前記係合腕２９に形成された抜け止め用突部２８が、前記支持部２３に押されて弾性変形し、この支持部２３の下方に潜り込む。そして、前側の前記係合腕２９に形成された抜け止め用突部２８が前記支持部２３の前端に当接すると、前側の前記係合腕２９が復元する。この状態において、前記支持部２３の前後が前記各抜け止め用突部２８によって挟まれるので、前記保持具４は、弱い力では前後に移動しないようになる。なお、前記保持具４を前記支持部２３に対して後方から取り付ける場合は、以上の説明における前後が逆になる。
【００３２】
そして、前記電気機器本体２の下端部を前記クランプ３の円筒部１４に上方から差し込むことで、前記電気機器本体２が前記クランプ３と結合する。更に、前記長腕２６を弾性変形させて、前記ＡＣアダプタ５を前記保持部４に下方から上方に押し込むことで、この保持部４に前記ＡＣアダプタ５を保持させる。この際、このＡＣアダプタ５は、前記長腕２６の弾性力によって、前記保持具４から落下せずに保持される。また、前記ＡＣアダプタ５を保持した前記保持具４は、その内向き突条部３１が前記支持部２３の外向き突条部２４に掛かることで、前記当接具９から落下せずに支持される。なお、前記外向き突条部２４と内向き突条部３１が共に水平に形成されるので、重力の分力は、前記保持具４に対し前後何れの方向へも働かない。従って、前記保持具４が前記当接具９の支持部２３から外れにくく、落下しにくいようにすることができる。
【００３３】
なお、上述した説明では、前記天板Ｄに前記クランプ３を取り付けた後、前記クランプ３に前記保持具４を取り付け、前記クランプ３に前記電気機器本体２を取り付け、前記保持具４に前記ＡＣアダプタ５を保持させる、という手順で、前記電気機器１を前記天板Ｄへ取り付けたが、取付手順はこれに限らない。例えば、前記天板Ｄに前記クランプ３を取り付けた後、前記クランプ３に前記電気機器本体２を取り付け、更に前記クランプ３に前記保持具４を取り付けるようにしても良い。この場合、前記保持具４を前記クランプ３に取り付けた後、前記保持具４に前記ＡＣアダプタ５を保持させても、予め前記ＡＣアダプタ５を保持させた前記保持具４を前記クランプ３に取り付けても良い。また、前記クランプ３に前記保持具４を取り付けた後、前記クランプ３を前記天板Ｄに取り付けても良い。この場合、前記クランプ３を前記天板Ｄに取り付ける前に前記保持具４に前記ＡＣアダプタ５を保持させても、前記クランプ３を前記天板Ｄに取り付けた後で前記保持具４に前記ＡＣアダプタ５を保持させても良い。このように、前記電気機器１の取付手順は、前記天板Ｄと壁等との位置関係や、前記クランプ３の前記天板Ｄにおける取付位置等といった様々な条件に対応して、最適な方法を選択することができる。また、前述したように、前記保持具４を前後双方から前記当接具９の支持部２３に取り付けることができるようにすることで、前記天板Ｄと壁等との位置関係や、前記クランプ３の前記天板Ｄにおける取付位置等といった様々な条件に対応して、前記保持具４又は／及び前記ＡＣアダプタ５を、前記クランプ３の当接具９の支持部２３に対し容易に着脱させることができる。
【００３４】
以上のように、本考案の電気機器１は、電気機器本体２と、この電気機器本体２を机の天板Ｄに対し着脱可能に取り付けるためのクランプ３とを有し、このクランプ３が、略コ字状の取付金具７と、この取付金具７の上方横片７Ａに軸支された締付具８と、前記取付金具７の下方横片７Ｂに取り付けられた当接具９とを有して構成され、前記当接具９に保持具４を設けると共に、前記電気機器本体２を作動させるための電気的手段としてのＡＣアダプタ５を、前記保持具４に対し着脱可能に保持させたことで、前記保持具４によって前記ＡＣアダプタ５を前記天板Ｄの下方に着脱可能に保持することができるので、前記ＡＣアダプタ５を目立たせないようにすることができるものである。
【００３５】
また、本考案の電気機器１は、前記保持具４を前記当接具９に対し着脱可能とすることで、前記天板Ｄに前記クランプ３を取り付けた後で、前記当接具９に前記保持具４を取り付けることができるので、前記クランプ３を前記天板Ｄに取り付ける際に、前記保持具４が邪魔にならず、前記天板Ｄに対する前記クランプ３の着脱を容易に行うことができるものである。
【００３６】
また、本考案の電気機器１は、前記当接具９の支持部２３に水平に形成された突条部２４と、前記保持具４の掛止部３０に水平に形成された突条部３１とで、前記保持具４を前記当接具９に対し水平方向に着脱可能とすることで、重力の分力が前記保持具４に対し前後何れの方向へも働かず、前記保持具４が前方へも後方へも移動しないので、前記ＡＣアダプタ５が前記保持具４ごと前記当接具９から落下しにくいようにすることができるものである。
【００３７】
更に、前記保持具４を前記当接具９に対し前後方向から着脱可能とすることで、前記天板Ｄと壁等との位置関係や、前記天板Ｄへの前記クランプ３の取付位置等といった様々な条件に対応して、前記保持具４を、単独又は前記ＡＣアダプタ５ごと、前記クランプ３の当接具９に対し容易に着脱させることができるものである。
【００３８】
次に、本考案の第二の実施形態について、図６乃至図８に基づいて説明する。なお、以下の説明において、図７及び図８の右側が前、左側が後である。また、図６乃至図８における上下は、実際の上下となる。
【００３９】
４１は本発明の電気機器である。この電気機器４１は、電気機器本体２と、この電気機器本体２を机の天板Ｄに固定するためのクランプ４２と、保持具４３と、電気的要素としての電源回路Ｐを筐体５Ａ内部に収容して構成された、電気的手段としてのＡＣアダプタ５と、このＡＣアダプタ５と前記電気機器本体２とを接続する電線６とを有して構成される。そして、前記電気機器本体２は、その下端部を後述する締付具８の操作部材１１の円筒部１４に挿入することで、前記クランプ４２に対して取り付けられる。
【００４０】
前記クランプ４２は、取付金具７と、締付具８と、当接具４４とを有して構成される。前記取付金具７は、肉厚の鋼板を略コ字状に折り曲げて形成される。なお、この取付金具７の上方横片７Ａの長さは、下方横片７Ｂの長さよりも長く形成される。そして、前記取付金具７の上方横片７Ａには貫通孔１０が形成され、この貫通孔１０に前記締付具８が取り付けられる。この締付具８は、操作部材１１と、雄螺子体１２と、締付部材１３とを有して構成される。前記操作部材１１は、円筒部１４とノブ１５とで一体に構成される。そして、前記円筒部１４の内面には、複数の突条１６が形成され、これらの突条１６が、前記円筒部１４に挿入された前記電気機器本体２の下端部に当接する。なお、前記円筒部１４は、その外径が前記貫通孔１０の内径よりも小さく形成されると共に、前記貫通孔１０に挿入される。一方、前記ノブ１５は、その下端部の外径が、前記貫通孔１０の内径よりも大きく形成される。また、前記雄螺子体１２は、前記操作部材１１の円筒部１４に対し、その下部にビス１７によって同軸に固定される。なお、前記雄螺子体１２は、その上端部の外径が前記貫通孔１０の内径よりも大きくなるように形成される。また、前記ノブ１５の下端から前記雄螺子体１２の上端までの垂直方向距離は、前記取付金具７の上方横片７Ａの厚さよりも僅かに大きい。従って、前記操作部材１１と雄螺子体１２とで構成された操作手段１８は、前記取付金具７の上方横片７Ａの貫通孔１０に対し、抜け止めされた状態で回動可能に取り付けられる。なお、前記雄螺子体１２の雄螺子１２Ａは、前記雄螺子体１２の下部にのみ形成される。また、前記締付部材１３は、雌螺子部１９と、スライド部２０とを有して一体に形成される。前記雌螺子部１９は、前記雄螺子体１２の雄螺子１２Ａと螺合する。また、前記スライド部２０は、前記取付金具７の縦片７Ｃの左右端縁に案内されるように構成される。更に、前記締付部材１３の下端部には、ゴム等の当接部材２１が取り付けられる。また、前記当接具４４は、前記取付金具７の下方横片７Ｂに取り付けられる。
【００４１】
前記当接具４４について詳述する。この当接具４４は、合成樹脂等、前記取付金具７に比べて軟らかい材質によって形成される。また、前記当接具９は、前記取付金具７の下方横片７Ｂの上面側に設けられる当接部２２と、前記取付金具７の下方横片７Ｂの下面側に設けられる支持部４５とを有して一体に構成される。前記当接部２２は、前記天板Ｄの下面に当接する。また、前記支持部４５には、その下端部の前後から外向きに突出するように、それぞれ左右方向に水平に延びる一対の突条部４６が形成される。
【００４２】
前記保持具４３は、平板部４７と、この平板部４７の前後両端縁から下方に延びて形成された一対の長腕２６と、前記平板部２５の左右両端縁から下方に延びて形成された一対の短腕２７と、前記平板部４７の中央部を切り欠いて形成されると共に抜け止め用突部４８が先端部に形成された左右一対の係合腕４９と、前記平板部２５の中央部から上方に延びて形成された掛止部５０とで一体に形成される。一対の前記長腕２６は、弾性変形可能に形成される。また、前記各長腕２６の下端は、それぞれ内側に曲がっており、前記ＡＣアダプタ５を抱えるように保持可能に構成される。一方、一対の前記短腕２７は、前記ＡＣアダプタ５の左右方向への動きを規制するように、且つ前記ＡＣアダプタ５から延びる前記電線６を妨げないように、前記ＡＣアダプタ５自体の高さ寸法よりも短く形成される。また、前記係合腕４９は、前記保持具４３を前記当接具４４の支持部４５に取り付ける際に、弾性変形可能に構成される。更に、前記掛止部５０には、前記支持部４５の突条部４６に対応して、その上端部の前後から内向きに突出するように、それぞれ左右方向に水平に延びる一対の突条部５１が形成される。そして、これらの突条部５１が前記当接具４４の支持部４５の突条部４６に掛けられると共に、前記各突部４８によって抜け止めされることによって、前記保持具４３は前記当接具４４に支持される。
【００４３】
次に、本実施形態の作用について説明する。まず、前記クランプ４２を前記天板Ｄに取り付ける。この際、まず使用者は、前記ノブ１５を掴んで前記操作手段１８を回転させ、前記締付部材１３を上方に移動させておく。そして、前記締付部材１３と当接具４４とで前記天板Ｄを挟むように、前記クランプ４２を配置する。この際、前記当接具４４が下方となるようにする。そして、前記ノブ１５を掴んで回転させ、前記締付部材１３を下降させる。これによって、前記天板Ｄが前記締付部材１３と当接具４４とによって挟持されることで、前記クランプ４２は前記天板Ｄに固定される。
【００４４】
次に、このように前記天板Ｄに固定された前記クランプ４２の当接具４４の支持部４５に、前記保持具４３を取り付ける。なお、この保持具４３は、左右何れの方向からでも、前記当接具４４の支持部４５に取り付けることができる。前記保持具４３を前記支持部４５に対して右方から取り付ける場合、まず使用者は、前記保持具４３の内向き突条部５１の左端を、前記支持部４５の外向き突条部４６の右端に掛け、水平に左方に移動させる。この際、左側の前記係合腕４９に形成された抜け止め用突部４８が、前記支持部４５に押されて弾性変形し、この支持部４５の下方に潜り込む。そして、右側の前記係合腕４９に形成された抜け止め用突部４８が前記支持部４５の右端に当接すると、左側の前記係合腕４９が復元する。この状態において、前記支持部４５の左右が前記各抜け止め用突部４８によって挟まれるので、前記保持具４３は、弱い力では左右に移動しないようになる。なお、前記保持具４３を前記支持部４５に対して左方から取り付ける場合は、以上の説明における左右が逆になる。
【００４５】
そして、前記電気機器本体２の下端部を前記クランプ４２の円筒部１４に上方から差し込むことで、前記電気機器本体２が前記クランプ４２と結合する。更に、前記長腕２６を弾性変形させて、前記ＡＣアダプタ５を前記保持部４３に下方から上方に押し込むことで、この保持部４３に前記ＡＣアダプタ５を保持させる。この際、このＡＣアダプタ５は、前記長腕２６の弾性力によって、前記保持具４３から落下せずに保持される。また、前記ＡＣアダプタ５を保持した前記保持具４３は、その内向き突条部５１が前記支持部４５の外向き突条部４６に掛かることで、前記当接具４４から落下せずに支持される。なお、前記外向き突条部４６と内向き突条部５１が共に水平に形成されるので、重力の分力は、前記保持具４３に対し左右何れの方向へも働かない。従って、前記保持具４３が前記当接具４４の支持部４５から外れにくく、落下しにくいようにすることができる。
【００４６】
なお、上述した説明では、前記天板Ｄに前記クランプ４２を取り付けた後、前記クランプ４２に前記保持具４３を取り付け、前記クランプ４２に前記電気機器本体２を取り付け、前記保持具４３に前記ＡＣアダプタ５を保持させる、という手順で、前記電気機器４１を前記天板Ｄへ取り付けたが、取付手順はこれに限らない。例えば、前記天板Ｄに前記クランプ４２を取り付けた後、前記クランプ４２に前記電気機器本体２を取り付け、更に前記クランプ４２に前記保持具４３を取り付けるようにしても良い。この場合、前記保持具４３を前記クランプ４２に取り付けた後、前記保持具４３に前記ＡＣアダプタ５を保持させても、予め前記ＡＣアダプタ５を保持させた前記保持具４３を前記クランプ４２に取り付けても良い。また、前記クランプ４２に前記保持具４３を取り付けた後、前記クランプ４２を前記天板Ｄに取り付けても良い。この場合、前記クランプ４２を前記天板Ｄに取り付ける前に前記保持具４３に前記ＡＣアダプタ５を保持させても、前記クランプ４２を前記天板Ｄに取り付けた後で前記保持具４３に前記ＡＣアダプタ５を保持させても良い。このように、前記電気機器４１の取付手順は、前記天板Ｄと壁等との位置関係や、前記クランプ４２の前記天板Ｄにおける取付位置等といった様々な条件に対応して、最適な方法を選択することができる。また、前述したように、前記保持具４３を左右双方から前記当接具４４の支持部４５に取り付けることができるようにすることで、前記天板Ｄと壁等との位置関係や、前記クランプ４２の前記天板Ｄにおける取付位置等といった様々な条件に対応して、前記保持具４３又は／及び前記ＡＣアダプタ５を、前記クランプ４２の当接具４４の支持部４５に対し容易に着脱させることができる。
【００４７】
以上のように、本考案の電気機器４１は、電気機器本体２と、この電気機器本体２を机の天板Ｄに対し着脱可能に取り付けるためのクランプ４２とを有し、このクランプ４２が、略コ字状の取付金具７と、この取付金具７の上方横片７Ａに軸支された締付具８と、前記取付金具７の下方横片７Ｂに取り付けられた当接具４４とを有して構成され、前記当接具４４に保持具４３を設けると共に、前記電気機器本体２を作動させるための電気的手段としてのＡＣアダプタ５を、前記保持具４３に対し着脱可能に保持させたことで、前記保持具４３によって前記ＡＣアダプタ５を前記天板Ｄの下方に着脱可能に保持することができるので、前記ＡＣアダプタ５を目立たせないようにすることができるものである。
【００４８】
また、本考案の電気機器４１は、前記保持具４３を前記当接具４４に対し着脱可能とすることで、前記天板Ｄに前記クランプ４２を取り付けた後で、前記当接具４４に前記保持具４３を取り付けることができるので、前記クランプ４２を前記天板Ｄに取り付ける際に、前記保持具４３が邪魔にならず、前記天板Ｄに対する前記クランプ４２の着脱を容易に行うことができるものである。
【００４９】
また、本考案の電気機器４１は、前記当接具４４の支持部４５に水平に形成された突条部４６と、前記保持具４３の掛止部５０に水平に形成された突条部５１とで、前記保持具４３を前記当接具４４に対し水平方向に着脱可能とすることで、重力の分力が前記保持具４３に対し左右何れの方向へも働かず、前記保持具４３が右へも左へも移動しないので、前記ＡＣアダプタ５が前記保持具４３ごと前記当接具４４から落下しにくいようにすることができるものである。
【００５０】
更に、前記保持具４３を前記当接具４４に対し左右方向から着脱可能とすることで、前記天板Ｄと壁等との位置関係や、前記天板Ｄへの前記クランプ４２の取付位置等といった様々な条件に対応して、前記保持具４３を、単独又は前記ＡＣアダプタ５ごと、前記クランプ４２の当接具４４に対し容易に着脱させることができるものである。
【００５１】
次に、本考案の第三の実施形態について、図９乃至図１１に基づいて説明する。なお、以下の説明において、図１０及び図１１の右側が前、左側が後である。また、図９乃至図１１における上下は、実際の上下となる。
【００５２】
６１は本発明の電気機器である。この電気機器６１は、電気機器本体２と、この電気機器本体２を机の天板Ｄに固定するためのクランプ６２と、保持具６３と、電気的要素としての電源回路Ｐを筐体５Ａ内部に収容して構成された、電気的手段としてのＡＣアダプタ５と、このＡＣアダプタ５と前記電気機器本体２とを接続する電線６とを有して構成される。そして、前記電気機器本体２は、その下端部を後述する締付具８の操作部材１１の円筒部１４に挿入することで、前記クランプ６２に対して取り付けられる。
【００５３】
前記クランプ３は、取付金具７と、締付具８と、当接具６４とを有して構成される。前記取付金具７は、肉厚の鋼板を略コ字状に折り曲げて形成される。なお、この取付金具７の上方横片７Ａの長さは、下方横片７Ｂの長さよりも長く形成される。そして、前記取付金具７の上方横片７Ａには貫通孔１０が形成され、この貫通孔１０に前記締付具８が取り付けられる。この締付具８は、操作部材１１と、雄螺子体１２と、締付部材１３とを有して構成される。前記操作部材１１は、円筒部１４とノブ１５とで一体に構成される。そして、前記円筒部１４の内面には、複数の突条１６が形成され、これらの突条１６が、前記円筒部１４に挿入された前記電気機器本体２の下端部に当接する。なお、前記円筒部１４は、その外径が前記貫通孔１０の内径よりも小さく形成されると共に、前記貫通孔１０に挿入される。一方、前記ノブ１５は、その下端部の外径が、前記貫通孔１０の内径よりも大きく形成される。また、前記雄螺子体１２は、前記操作部材１１の円筒部１４に対し、その下部にビス１７によって同軸に固定される。なお、前記雄螺子体１２は、その上端部の外径が前記貫通孔１０の内径よりも大きくなるように形成される。また、前記ノブ１５の下端から前記雄螺子体１２の上端までの垂直方向距離は、前記取付金具７の上方横片７Ａの厚さよりも僅かに大きい。従って、前記操作部材１１と雄螺子体１２とで構成された操作手段１８は、前記取付金具７の上方横片７Ａの貫通孔１０に対し、抜け止めされた状態で回動可能に取り付けられる。なお、前記雄螺子体１２の雄螺子１２Ａは、前記雄螺子体１２の下部にのみ形成される。また、前記締付部材１３は、雌螺子部１９と、スライド部２０とを有して一体に形成される。前記雌螺子部１９は、前記雄螺子体１２の雄螺子１２Ａと螺合する。また、前記スライド部２０は、前記取付金具７の縦片７Ｃの左右端縁に案内されるように構成される。更に、前記締付部材１３の下端部には、ゴム等の当接部材２１が取り付けられる。また、前記当接具６４は、前記取付金具７の下方横片７Ｂに取り付けられる。
【００５４】
前記保持具６３及び当接具６４について詳述する。これらの保持具６３及び当接具６４は、合成樹脂等、前記取付金具７に比べて軟らかい材質によって一体的に構成される。即ち、前記保持具６３及び当接具６４は、一体に構成しても良く、また、別体に構成されたものを一体化しても良い。前記当接具６４は、前記取付金具７の下方横片７Ｂの上面側に設けられる当接部２２と、前記取付金具７の下方横片７Ｂの下面側に設けられる連結部６５とを有して構成される。前記当接部２２は、前記天板Ｄの下面に当接する。また、前記連結部６５は、前記保持具６３に連結される。この保持具６３は、平板部６６と、この平板部６６の前後両端縁から下方に延びて形成された一対の長腕２６と、前記平板部２５の左右両端縁から下方に延びて形成された一対の短腕２７と、前記平板部６６の中央から上方に延びて形成された連結部６７を有して構成される。一対の前記長腕２６は、弾性変形可能に形成される。また、前記各長腕２６の下端は、それぞれ内側に曲がっており、前記ＡＣアダプタ５を抱えるように保持可能に構成される。一方、一対の前記短腕２７は、前記ＡＣアダプタ５の左右方向への動きを規制するように、且つ前記ＡＣアダプタ５から延びる前記電線６を妨げないように、前記ＡＣアダプタ５自体の高さ寸法よりも短く形成される。更に、前記連結部６７は、前記連結部６５と一体的に連結される。これによって、前記保持具６３は前記当接具６４に支持される。
【００５５】
次に、本実施形態の作用について説明する。まず、前記クランプ６２を前記天板Ｄに取り付ける。この際、まず使用者は、前記ノブ１５を掴んで前記操作手段１８を回転させ、前記締付部材１３を上方に移動させておく。そして、前記締付部材１３と当接具６４とで前記天板Ｄを挟むように、前記クランプ６２を配置する。この際、前記当接具６４が下方となるようにする。そして、前記ノブ１５を掴んで回転させ、前記締付部材１３を下降させる。これによって、前記天板Ｄが前記締付部材１３と当接具６４とによって挟持されることで、前記クランプ６２は前記天板Ｄに固定される。そして、前記電気機器本体２の下端部を前記クランプ６２の円筒部１４に上方から差し込むことで、前記電気機器本体２が前記クランプ６２と結合する。更に、前記長腕２６を弾性変形させて、前記ＡＣアダプタ５を前記保持部６３に下方から上方に押し込むことで、この保持部６３に前記ＡＣアダプタ５を保持させる。この際、このＡＣアダプタ５は、前記長腕２６の弾性力によって、前記保持具６３から落下せずに保持される。また、前記保持具６３と当接具６４が一体的に構成されることで、前記ＡＣアダプタ５は、前記保持具６３に安定して保持される。
【００５６】
なお、上述した説明では、前記天板Ｄに前記クランプ６２を取り付けた後、前記クランプ６２に前記電気機器本体２を取り付け、前記クランプ６２の当接具６４と一体的に構成された前記保持具６３に前記ＡＣアダプタ５を保持させる、という手順で、前記電気機器６１を前記天板Ｄへ取り付けたが、取付手順はこれに限らない。例えば、前記保持具６３に前記ＡＣアダプタ５を保持させた後、このＡＣアダプタ５が保持された状態の前記クランプ６２を前記天板Ｄに取り付け、前記クランプ６２に前記電気機器本体２を取り付けても良い。このように、前記電気機器６１の取付手順は、前記天板Ｄと壁等との位置関係や、前記クランプ６２の前記天板Ｄにおける取付位置等といった様々な条件に対応して、最適な方法を選択することができる。
【００５７】
以上のように、本考案の電気機器６１は、電気機器本体２と、この電気機器本体２を机の天板Ｄに対し着脱可能に取り付けるためのクランプ６２とを有し、このクランプ６２が、略コ字状の取付金具７と、この取付金具７の上方横片７Ａに軸支された締付具８と、前記取付金具７の下方横片７Ｂに取り付けられた当接具６４とを有して構成され、前記当接具６４に保持具６３を設けると共に、前記電気機器本体２を作動させるための電気的手段としてのＡＣアダプタ５を、前記保持具６３に対し着脱可能に保持させたことで、前記保持具６３によって前記ＡＣアダプタ５を前記天板Ｄの下方に着脱可能に保持することができるので、前記ＡＣアダプタ５を目立たせないようにすることができるものである。
【００５８】
また、本考案の電気機器６１は、前記保持具６３と前記当接具６４とを一体的に構成することで、前記保持具６３を安定させることができるので、前記ＡＣアダプタ５を前記クランプ６２に安定して保持させることができるものである。
【００５９】
次に、本考案の第四の実施形態について、図１２乃至図１４に基づいて説明する。なお、以下の説明において、図１３及び図１４の右側が前、左側が後である。また、図１２乃至図１４における上下は、実際の上下となる。
【００６０】
７１は本発明の電気機器である。この電気機器７１は、電気機器本体２と、この電気機器本体２を机の天板Ｄに固定するためのクランプ７２と、保持具７３と、電気的要素としての電源回路Ｐを筐体５Ａ内部に収容して構成された、電気的手段としてのＡＣアダプタ５と、このＡＣアダプタ５と前記電気機器本体２とを接続する電線６とを有して構成される。そして、前記電気機器本体２は、その下端部を後述する締付具８の操作部材１１の円筒部１４に挿入することで、前記クランプ７２に対して取り付けられる。
【００６１】
前記クランプ７２は、取付金具７と、締付具８と、当接具７４とを有して構成される。前記取付金具７は、肉厚の鋼板を略コ字状に折り曲げて形成される。なお、この取付金具７の上方横片７Ａの長さは、下方横片７Ｂの長さよりも長く形成される。そして、前記取付金具７の上方横片７Ａには貫通孔１０が形成され、この貫通孔１０に前記締付具８が取り付けられる。この締付具８は、操作部材１１と、雄螺子体１２と、締付部材１３とを有して構成される。前記操作部材１１は、円筒部１４とノブ１５とで一体に構成される。そして、前記円筒部１４の内面には、複数の突条１６が形成され、これらの突条１６が、前記円筒部１４に挿入された前記電気機器本体２の下端部に当接する。なお、前記円筒部１４は、その外径が前記貫通孔１０の内径よりも小さく形成されると共に、前記貫通孔１０に挿入される。一方、前記ノブ１５は、その下端部の外径が、前記貫通孔１０の内径よりも大きく形成される。また、前記雄螺子体１２は、前記操作部材１１の円筒部１４に対し、その下部にビス１７によって同軸に固定される。なお、前記雄螺子体１２は、その上端部の外径が前記貫通孔１０の内径よりも大きくなるように形成される。また、前記ノブ１５の下端から前記雄螺子体１２の上端までの垂直方向距離は、前記取付金具７の上方横片７Ａの厚さよりも僅かに大きい。従って、前記操作部材１１と雄螺子体１２とで構成された操作手段１８は、前記取付金具７の上方横片７Ａの貫通孔１０に対し、抜け止めされた状態で回動可能に取り付けられる。なお、前記雄螺子体１２の雄螺子１２Ａは、前記雄螺子体１２の下部にのみ形成される。また、前記締付部材１３は、雌螺子部１９と、スライド部２０とを有して一体に形成される。前記雌螺子部１９は、前記雄螺子体１２の雄螺子１２Ａと螺合する。また、前記スライド部２０は、前記取付金具７の縦片７Ｃの左右端縁に案内されるように構成される。更に、前記締付部材１３の下端部には、ゴム等の当接部材２１が取り付けられる。また、前記当接具７４は、前記取付金具７の下方横片７Ｂに取り付けられる。
【００６２】
前記当接具７４について詳述する。この当接具７４は、合成樹脂等、前記取付金具７に比べて軟らかい材質によって形成される。また、前記当接具７４は、前記取付金具７の下方横片７Ｂの上面側に設けられる当接部２２と、前記取付金具７の下方横片７Ｂの下面側に設けられる位置決め部７５とを有して一体に構成される。
【００６３】
前記保持具７３は、平板部７６と、この平板部７６の前後両端縁から下方に延びて形成された一対の長腕２６と、前記平板部２５の左右両端縁から下方に延びて形成された一対の短腕２７と、前記位置決め部７５に対応して上方に突出して形成された受部７７と、前記平板部７６の中央部から上方に延びて形成された突部７８とで一体に形成される。一対の前記長腕２６は、弾性変形可能に形成される。また、前記各長腕２６の下端は、それぞれ内側に曲がっており、前記ＡＣアダプタ５を抱えるように保持可能に構成される。一方、一対の前記短腕２７は、前記ＡＣアダプタ５の左右方向への動きを規制するように、且つ前記ＡＣアダプタ５から延びる前記電線６を妨げないように、前記ＡＣアダプタ５自体の高さ寸法よりも短く形成される。また、前記受部７７は、その内側に前記位置決め部７５が挿入されるように構成される。更に、前記突部７８の上端部には、磁石７９が固定される。この磁石７９は、前記保持具７３自体と前記ＡＣアダプタ５と電線６との合計重量を支持可能な磁力を有する。
【００６４】
次に、本実施形態の作用について説明する。まず、前記クランプ７２を前記天板Ｄに取り付ける。この際、まず使用者は、前記ノブ１５を掴んで前記操作手段１８を回転させ、前記締付部材１３を上方に移動させておく。そして、前記締付部材１３と当接具７４とで前記天板Ｄを挟むように、前記クランプ７２を配置する。この際、前記当接具７４が下方となるようにする。そして、前記ノブ１５を掴んで回転させ、前記締付部材１３を下降させる。これによって、前記天板Ｄが前記締付部材１３と当接具７４とによって挟持されることで、前記クランプ７２は前記天板Ｄに固定される。
【００６５】
次に、このように前記天板Ｄに固定された前記クランプ７２の取付金具７の下方横片７Ｂに、前記保持具７３を取り付ける。前記保持具７３を前記下方横片７Ｂに取り付ける場合、まず使用者は、前記当接具７４の位置決め部７５が前記保持具７３の受部７７に挿入されるように、下方から前記保持具７３を前記下方横片７Ｂに近付ける。この際、前記突部７８の上端部に設けられた前記磁石７９が、強磁性を有する鋼製の前記取付金具７の下方横片７Ｂに吸着される。この際、前記保持具７３が前記位置決め部７５と受部７７によって、前記下方横片７Ｂに対し正規の位置に位置決めされるので、前記磁石７９が前記下方横片７Ｂの最適な位置に吸着される。即ち、前記磁石７９の一部のみが前記下方横片７Ｂに吸着されるような事態を避けることができる。
【００６６】
そして、前記電気機器本体２の下端部を前記クランプ７２の円筒部１４に上方から差し込むことで、前記電気機器本体２が前記クランプ７２と結合する。更に、前記長腕２６を弾性変形させて、前記ＡＣアダプタ５を前記保持部７３に下方から上方に押し込むことで、この保持部７３に前記ＡＣアダプタ５を保持させる。この際、このＡＣアダプタ５は、前記長腕２６の弾性力によって、前記保持具７３から落下せずに保持される。なお、前述した通り、前記磁石７９が、前記保持具７３自体、ＡＣアダプタ５、及び電線６の重量を支えるのに十分な大きさの磁力を有するので、重力以外の過大な外力が加わらない限り、前記ＡＣアダプタ５が前記保持具７３ごと落下することがない。
【００６７】
なお、上述した説明では、前記天板Ｄに前記クランプ７２を取り付けた後、前記クランプ７２に前記保持具７３を取り付け、前記クランプ７２に前記電気機器本体２を取り付け、前記保持具７３に前記ＡＣアダプタ５を保持させる、という手順で、前記電気機器７１を前記天板Ｄへ取り付けたが、取付手順はこれに限らない。例えば、前記天板Ｄに前記クランプ７２を取り付けた後、前記クランプ７２に前記電気機器本体２を取り付け、更に前記クランプ７２に前記保持具７３を取り付けるようにしても良い。この場合、前記保持具７３を前記クランプ７２に取り付けた後、前記保持具７３に前記ＡＣアダプタ５を保持させても、予め前記ＡＣアダプタ５を保持させた前記保持具７３を前記クランプ７２に取り付けても良い。また、前記クランプ７２に前記保持具７３を取り付けた後、前記クランプ７２を前記天板Ｄに取り付けても良い。この場合、前記クランプ７２を前記天板Ｄに取り付ける前に前記保持具７３に前記ＡＣアダプタ５を保持させても、前記クランプ７２を前記天板Ｄに取り付けた後で前記保持具７３に前記ＡＣアダプタ５を保持させても良い。このように、前記電気機器７１の取付手順は、前記天板Ｄと壁等との位置関係や、前記クランプ７２の前記天板Ｄにおける取付位置等といった様々な条件に対応して、最適な方法を選択することができる。また、前記保持具７３を前記磁石７９によって鋼製の前記取付金具７の下方横片７Ｂに取り付けることができるようにすることで、前記保持具７３又は／及び前記ＡＣアダプタ５を、前記クランプ７２に対し容易に着脱させることができる。
【００６８】
以上のように、本考案の電気機器７１は、電気機器本体２と、この電気機器本体２を机の天板Ｄに対し着脱可能に取り付けるためのクランプ７２とを有し、このクランプ７２が、略コ字状の取付金具７と、この取付金具７の上方横片７Ａに軸支された締付具８とを有して構成され、前記取付金具７の下方横片７Ｂに対し着脱可能な保持具７３を設けると共に、前記電気機器本体２を作動させるための電気的手段としてのＡＣアダプタ５を、前記保持具７３に対し着脱可能に保持させたことで、前記保持具７３によって前記ＡＣアダプタ５を前記天板Ｄの下方に着脱可能に保持することができるので、前記ＡＣアダプタ５を目立たせないようにすることができるものである。
【００６９】
また、本考案の電気機器７１は、前記保持具７３の上端部に磁石７９を設けると共に、強磁性を有する鋼で前記取付金具７を構成することで、前記保持具７３によって、前記ＡＣアダプタ５を机天板Ｄ等の下方に容易に保持させることができるものである。
【００７０】
更に、本考案の電気機器７１は、前記取付金具７の下方横片７Ｂに当接具７４を取り付け、この当接具７４の下端部に位置決め部７５を設け、この位置決め部７５に対応する受部７７を前記保持具７３に設けることで、前記磁石７９を前記下方横片７Ｂの最適な位置に吸着させることができるので、前記保持具７３を前記取付金具７に対し確実に取り付けることができる。
【００７１】
次に、本考案の第五の実施形態について、図１５乃至図１７に基づいて説明する。なお、以下の説明において、図１６及び図１７の右側が前、左側が後である。また、図１５乃至図１７における上下は、実際の上下となる。
【００７２】
８１は本発明の電気機器である。この電気機器８１は、電気機器本体２と、この電気機器本体２を机の天板Ｄに固定するためのクランプ８２と、電気的要素としての電源回路Ｐを筐体８３Ａ内部に収容して構成された、電気的手段としてのＡＣアダプタ８３と、このＡＣアダプタ８３と前記電気機器本体２とを接続する電線６とを有して構成される。そして、前記電気機器本体２は、その下端部を後述する締付具８の操作部材１１の円筒部１４に挿入することで、前記クランプ８２に対して取り付けられる。
【００７３】
前記クランプ８２は、取付金具７と、締付具８と、当接具９とを有して構成される。前記取付金具７は、肉厚の鋼板を略コ字状に折り曲げて形成される。なお、この取付金具７の上方横片７Ａの長さは、下方横片７Ｂの長さよりも長く形成される。そして、前記取付金具７の上方横片７Ａには貫通孔１０が形成され、この貫通孔１０に前記締付具８が取り付けられる。この締付具８は、操作部材１１と、雄螺子体１２と、締付部材１３とを有して構成される。前記操作部材１１は、円筒部１４とノブ１５とで一体に構成される。そして、前記円筒部１４の内面には、複数の突条１６が形成され、これらの突条１６が、前記円筒部１４に挿入された前記電気機器本体２の下端部に当接する。なお、前記円筒部１４は、その外径が前記貫通孔１０の内径よりも小さく形成されると共に、前記貫通孔１０に挿入される。一方、前記ノブ１５は、その下端部の外径が、前記貫通孔１０の内径よりも大きく形成される。また、前記雄螺子体１２は、前記操作部材１１の円筒部１４に対し、その下部にビス１７によって同軸に固定される。なお、前記雄螺子体１２は、その上端部の外径が前記貫通孔１０の内径よりも大きくなるように形成される。また、前記ノブ１５の下端から前記雄螺子体１２の上端までの垂直方向距離は、前記取付金具７の上方横片７Ａの厚さよりも僅かに大きい。従って、前記操作部材１１と雄螺子体１２とで構成された操作手段１８は、前記取付金具７の上方横片７Ａの貫通孔１０に対し、抜け止めされた状態で回動可能に取り付けられる。なお、前記雄螺子体１２の雄螺子１２Ａは、前記雄螺子体１２の下部にのみ形成される。また、前記締付部材１３は、雌螺子部１９と、スライド部２０とを有して一体に形成される。前記雌螺子部１９は、前記雄螺子体１２の雄螺子１２Ａと螺合する。また、前記スライド部２０は、前記取付金具７の縦片７Ｃの左右端縁に案内されるように構成される。更に、前記締付部材１３の下端部には、ゴム等の当接部材２１が取り付けられる。また、前記当接具９は、前記取付金具７の下方横片７Ｂに取り付けられる。
【００７４】
前記当接具９について詳述する。この当接具９は、合成樹脂等、前記取付金具７に比べて軟らかい材質によって形成される。また、前記当接具９は、前記取付金具７の下方横片７Ｂの上面側に設けられる当接部２２と、前記取付金具７の下方横片７Ｂの下面側に設けられる支持部２３とを有して一体に構成される。前記当接部２２は、前記天板Ｄの下面に当接する。また、前記支持部２３には、その下端部の左右から外向きに突出するように、それぞれ前後方向に水平に延びる一対の突条部２４が形成される。
【００７５】
前記ＡＣアダプタ８３は、前記筐体８３Ａの天面８４の中央部を切り欠いて形成されると共に抜け止め用突部８５が先端部に形成された前後一対の係合腕８６と、前記筐体８３Ａの天面８４の中央部から上方に延びて形成された掛止部８７とを有して構成される。また、前記係合腕８６は、前記ＡＣアダプタ８３を前記当接具９の支持部２３に取り付ける際に、弾性変形可能に構成される。更に、前記掛止部８７には、前記支持部２３の突条部２４に対応して、その上端部の左右から内向きに突出するように、それぞれ前後方向に水平に延びる一対の突条部８８が形成される。そして、これらの突条部８８が前記当接具９の支持部２３の突条部２４に掛けられると共に、前記各突部８５によって抜け止めされることによって、前記ＡＣアダプタ８３は前記当接具９に支持される。
【００７６】
次に、本実施形態の作用について説明する。まず、前記クランプ８２を前記天板Ｄに取り付ける。この際、まず使用者は、前記ノブ１５を掴んで前記操作手段１８を回転させ、前記締付部材１３を上方に移動させておく。そして、前記締付部材１３と当接具９とで前記天板Ｄを挟むように、前記クランプ８２を配置する。この際、前記当接具９が下方となるようにする。そして、前記ノブ１５を掴んで回転させ、前記締付部材１３を下降させる。これによって、前記天板Ｄが前記締付部材１３と当接具９とによって挟持されることで、前記クランプ８２は前記天板Ｄに固定される。
【００７７】
次に、このように前記天板Ｄに固定された前記クランプ８２の当接具９の支持部２３に、前記ＡＣアダプタ８３を取り付ける。なお、このＡＣアダプタ８３は、前方又は後方の何れの方向からでも、前記当接具９の支持部２３に取り付けることができる。前記ＡＣアダプタ８３を前記支持部２３に対して前方から取り付ける場合、まず使用者は、前記ＡＣアダプタ８３の内向き突条部８８の後端を、前記支持部９の外向き突条部２４の前端に掛け、水平に後方に移動させる。この際、後側の前記係合腕８６に形成された抜け止め用突部８５が、前記支持部２３に押されて弾性変形し、この支持部２３の下方に潜り込む。そして、前側の前記係合腕８６に形成された抜け止め用突部８５が前記支持部２３の前端に当接すると、前側の前記係合腕８６が復元する。この状態において、前記支持部２３の前後が前記各抜け止め用突部８５によって挟まれるので、前記ＡＣアダプタ８３は、弱い力では前後に移動しないようになる。なお、前記ＡＣアダプタ８３を前記支持部２３に対して後方から取り付ける場合は、以上の説明における前後が逆になる。
【００７８】
そして、前記電気機器本体２の下端部を前記クランプ８２の円筒部１４に上方から差し込むことで、前記電気機器本体２が前記クランプ８２と結合する。また、前記ＡＣアダプタ８３は、その内向き突条部８８が前記支持部２３の外向き突条部２４に掛かることで、前記当接具９から落下せずに支持される。なお、前記外向き突条部２４と内向き突条部８８が共に水平に形成されるので、重力の分力は、前記ＡＣアダプタ８３に対し前後何れの方向へも働かない。従って、前記ＡＣアダプタ８３が前記当接具９の支持部２３から外れにくく、落下しにくいようにすることができる。
【００７９】
なお、上述した説明では、前記天板Ｄに前記クランプ８２を取り付けた後、前記クランプ８２に前記ＡＣアダプタ８３を取り付け、前記クランプ８２に前記電気機器本体２を取り付ける、という手順で、前記電気機器８１を前記天板Ｄへ取り付けたが、取付手順はこれに限らない。例えば、前記天板Ｄに前記クランプ８２を取り付けた後、前記クランプ８２に前記電気機器本体２を取り付け、更に前記クランプ８２に前記ＡＣアダプタ８３を取り付けるようにしても良い。また、前記クランプ８２に前記ＡＣアダプタ８３を取り付けた後、前記クランプ８２を前記天板Ｄに取り付けても良い。このように、前記電気機器８１の取付手順は、前記天板Ｄと壁等との位置関係や、前記クランプ８２の前記天板Ｄにおける取付位置等といった様々な条件に対応して、最適な方法を選択することができる。また、前述したように、前記ＡＣアダプタ８３を前後双方から前記当接具９の支持部２３に取り付けることができるようにすることで、前記天板Ｄと壁等との位置関係や、前記クランプ８２の前記天板Ｄにおける取付位置等といった様々な条件に対応して、前記ＡＣアダプタ８３を、前記クランプ８２の当接具９の支持部２３に対し容易に着脱させることができる。
【００８０】
以上のように、本考案の電気機器８１は、電気機器本体２と、この電気機器本体２を机の天板Ｄに対し着脱可能に取り付けるためのクランプ８２とを有し、このクランプ８２が、略コ字状の取付金具７と、この取付金具７の上方横片７Ａに軸支された締付具８とを有して構成され、前記取付金具７の下方横片７Ｂに設けられた当接具９に対し、前記電気機器本体２を作動させるための電気的手段としてのＡＣアダプタ８３を着脱可能に保持させたことで、前記ＡＣアダプタ８３を目立たせないようにすることができるものである。
【００８１】
なお、本考案は以上の実施形態に限定されるものではなく、考案の要旨の範囲内で種々の変形実施が可能である。例えば、上記第一及び第二の実施形態では、前記当接具に水平に形成された外向き突条部に、前記保持具に水平に形成された内向き突条部を掛止することで、前記保持具は前記当接具に取り付けられるが、これ以外の取り付け構造を採用してもよい。上記以外の構造として、外向き突条部と内向き突条部を入れ替えた構造、或いはバヨネット構造等が採用され得る。また、前記電気的手段の例として、上記実施形態ではＡＣアダプタを用いた場合を示したが、他の電気的要素、例えば点灯回路や制御回路等を筐体内部に収容した回路ボックスであっても良い。
【産業上の利用可能性】
【００８２】
本考案の電気機器は、照明装置の他、例えばＯＡ機器や映像機器、医療機器等、様々な分野で利用が可能である。
【符号の説明】
【００８３】
１，４１，６１，７１，８１  電気機器
２  電気機器本体
３，４２，６２，７２，８２  クランプ
４，４３，６３，７３  保持具
５，８３  ＡＣアダプタ（電気的手段）
７  取付金具
７Ａ  上方横片
７Ｂ  下方横片
８  締付具
９，４４，６４，７４  当接具
７５  位置決め部
７７  受部
７９  磁石
Ｄ  机の天板
Ｐ  電源回路（電気的要素）
【図１】
0003168237.tif 000003
【図２】
0003168237.tif 000004
【図３】
0003168237.tif 000005
【図４】
0003168237.tif 000006
【図５】
0003168237.tif 000007
【図６】
0003168237.tif 000008
【図７】
0003168237.tif 000009
【図８】
0003168237.tif 000010
【図９】
0003168237.tif 000011
【図１０】
0003168237.tif 000012
【図１１】
0003168237.tif 000013
【図１２】
0003168237.tif 000014
【図１３】
0003168237.tif 000015
【図１４】
0003168237.tif 000016
【図１５】
0003168237.tif 000017
【図１６】
0003168237.tif 000018
【図１７】
0003168237.tif 000019